(57)【特許請求の範囲】
【請求項１】
車両１上に旋回駆動自在に取り付けた旋回台２、旋回台２にその基端部を起伏自在に連結され旋回台２との間に介装した伸縮ブーム起伏用油圧シリンダ４により起伏駆動される伸縮ブーム３、および、それに作用する倒伏方向モーメントが伸縮ブーム３先端部３ａに曲げモーメントを付与するよう伸縮ブーム３先端部３ａに取り外し自在に継ぎ足されるジブ５であって伸縮ブーム３に対する起伏角度を変更可能なジブ５、を備えてなる移動式クレーンの伸縮ブーム縦撓み抑制装置であって、伸縮ブーム３先端部３ａに取り付けられ伸縮ブーム３背面側への延出量を変更可能なアーム手段１３、その先端部を前記アーム手段１３の延出端部に連結したガイロープ１０、伸縮ブーム３長手方向中間部または旋回台２に取り付けられ前記ガイロープ１０の基端部を伸縮ブーム長手軸心線３ｃから伸縮ブーム３背面側に離隔した位置で連結するガイロープ基端部連結手段１１、および、アーム手段１３とガイロープ基端部連結手段１１間の前記ガイロープの張設長さを調節するガイロープ長さ調節手段１２とで構成したことを特徴とする移動式クレーンの伸縮ブーム縦撓み抑制装置。
【請求項２】
アーム手段１３を、その回動により伸縮ブーム背面側への延出量を変更可能なようその基端部を伸縮ブーム３先端部３ａに回動自在に取り付けられた回動アーム１４と、この回動アーム１４を回動するアーム回動用油圧シリンダ１５とで構成してあることを特徴とする請求項１記載の移動式クレーンの伸縮ブーム縦撓み抑制装置。
【請求項３】
アーム手段１３を、その伸縮により伸縮ブーム３背面側への延出量を変更可能なようその基端部を伸縮ブーム先端部に立設した伸縮アーム１７と、この伸縮アーム１７を伸縮するアーム伸縮用油圧シリンダ１８とで構成してあることを特徴とする請求項１記載の移動式クレーンの伸縮ブーム縦撓み抑制装置。
【請求項４】
ジブ５が、伸縮ブームの先端部に取り外し自在に取り付けられるジブ取付枠６にジブ起伏用油圧シリンダ７を介して起伏駆動自在に取り付けられており、アーム手段１３が、当該ジブ取付枠６に取り付けられていることを特徴とする請求項１乃至３記載の移動式クレーンの伸縮ブーム縦撓み抑制装置。
【請求項５】
伸縮ブーム３先端部３ａに配置したアーム手段１３、その先端部をアーム手段１３を介して伸縮ブーム３先端部３ａに連結したガイロープ１０、伸縮ブーム３長手方向中間部または旋回台２に配置され前記ガイロープ１０の基端部を伸縮ブーム長手軸心線３ｃに対して伸縮ブーム３背面側に離隔した位置で連結するガイロープ基端部連結手段１１、および、ガイロープ１０の張設長さを調節するガイロープ長さ調節手段１２とで構成した伸縮ブーム縦撓み抑制装置Ｃが、それぞれそのガイロープ１０の張設経路が伸縮ブーム３の背面視において伸縮ブーム長手軸心線３ｃの左右を経過するよう、左右一対装備されていることを特徴とする請求項１乃至請求項４記載の移動式クレーンの伸縮ブーム縦撓み抑制装置。
【発明の詳細な説明】
【技術分野】
【０００１】
本発明は、移動式クレーンの伸縮ブーム縦撓み抑制装置に関するものである。
【背景技術】
【０００２】
伸縮ブームの先端部にジブを伸縮および起伏可能に配置した移動式クレーンは、例えば特許文献１がある。この移動式クレーンに伸縮ブームの縦撓み抑制装置を装備した移動式クレーンを図９に基づいて説明する。図９において、Ａは移動式クレーンを示し、この移動式クレーンＡは、車両１上に旋回駆動自在に取り付けた旋回台２、旋回台２にその基端部を起伏自在に連結され旋回台２との間に介装した伸縮ブーム起伏用油圧シリンダ４により起伏駆動される伸縮ブーム３、および、伸縮ブーム３先端部３ａに取り外し自在に継ぎ足されるジブ５を備えている。このジブ５は、それに作用する倒伏方向モーメントが伸縮ブーム３先端部３ａに曲げモーメントを付与するよう伸縮ブーム３先端部３ａに継ぎ足される形式のものであり、しかも、継ぎ足し状態において伸縮ブーム３に対する起伏角度を変更可能に構成したものである。
【０００３】
図９に示すジブ５では、伸縮ブーム３先端部３ａに取り外し自在に取り付けられるジブ取付枠６にその基端部を起伏自在に連結されており、且つ、ジブ取付枠６との間に介装したジブ起伏用油圧シリンダ７により伸縮ブーム３に対する起伏角度を任意の角度に変更可能となっている。ここでは、ジブ５はジブ取付枠６を介して伸縮ブーム３先端部３ａに取り外し自在に継ぎ足されるようになっている。
【０００４】
移動式クレーンＡによるクレーン作業は、「伸縮ブーム先端部でのクレーン作業」（伸縮ブーム３先端部３ａにジブ５を継ぎ足していない状態でのクレーン作業）と、「ジブ先端部でのクレーン作業」（伸縮ブーム３先端部３ａにジブ５を継ぎ足した状態でのクレーン作業）と適宜選択して行う。
【０００５】
「伸縮ブーム先端部でのクレーン作業」は、伸縮ブーム３先端部３ａに巻上巻下駆動自在に吊下した吊具８に吊荷Ｗを係止した上で、旋回台２の旋回駆動、伸縮ブーム３の起伏・伸縮駆動、および、吊具８の巻上巻下駆動を併用して行い、「ジブ先端部でのクレーン作業」は、ジブ５の先端部に巻上巻下駆動自在に吊下した吊具９に吊荷Ｗを係止した上で、旋回台２の旋回駆動、伸縮ブーム３の起伏・伸縮駆動、ジブ５の起伏駆動、および、吊具９の巻上巻下駆動を併用して行う。なお、ジブ５が伸縮駆動自在な伸縮ジブである場合には、ジブ５の伸縮駆動も併用してクレーン作業をする。
【０００６】
本発明は、上述した如く構成した移動式クレーンＡに取り付けられ伸縮ブーム３の縦撓み（伸縮ブーム３の長手方向中間部が上に凸となるような撓み）を抑制するための新規な伸縮ブーム縦撓み抑制装置を提供しようとするものである。
【０００７】
ところで、伸縮ブーム３先端部３ａに取り外し自在に取り付けられるジブ５を有さない移動式クレーン（「伸縮ブーム先端部でのクレーン作業」のみを行う移動式クレーン）では、クレーン作業時の伸縮ブーム３の縦撓みを抑制するために伸縮ブーム縦撓み抑制装置を取り付けることが既に知られている。この従来公知の伸縮ブーム縦撓み抑制装置Ｂを、図９に示し上述した移動式クレーンＡ（「伸縮ブーム先端部でのクレーン作業」と「ジブ先端部でのクレーン作業」を適宜選択して行う移動式クレーンＡ）にそのまま採用することは当業者にとって容易なことであるので、便宜的に図９上にそのような公知の伸縮ブーム縦撓み抑制装置Ｂを書き加え、それを本発明の先行技術として示している。
【０００８】
図９において、伸縮ブーム縦撓み抑制装置Ｂは、その先端部を伸縮ブーム３先端部３ａに直接連結したガイロープ１０、伸縮ブーム３長手方向中間部または旋回台２に取り付けられ前記ガイロープ１０の基端部を伸縮ブーム長手軸心線３ｃから伸縮ブーム背面側に離隔した位置で連結するガイロープ基端部連結手段１１、および、伸縮ブーム３先端部３ａとガイロープ基端部連結手段１１間の前記ガイロープ１０の張設長さを調節するガイロープ長さ調節手段１２とで構成している。
【０００９】
前記ガイロープ長さ調節手段１２は、図９ではガイロープ基端部連結手段１１に配置したガイロープ巻取り用ウインチで構成しているが、このガイロープ長さ調節手段１２は、伸縮ブーム３先端部３ａに配置したものも存在している。
また、図９では、ガイロープ基端部連結手段１１を旋回台２に配置したものを実線図示で示しているが、このガイロープ基端部連結手段１１は、図９に仮想線で示すように、伸縮ブーム３の基端側（伸縮ブーム３の長手方向中間部）にその延出端部が伸縮ブーム長手軸心線３ｃに対して伸縮ブーム３背面側に離隔した位置となるよう立設したガイマスト１１で構成し、このガイマスト１１の延出端部にガイロープ１０の基端部を連結するようにしても良いものである。図９の仮想線図示において、１１ａは、ガイロープ基端部連結手段を構成するガイマスト１１の延出端部と伸縮ブーム３基端部との間に張設したガイマスト前傾防止用の控えロープを示す。
【００１０】
従来の伸縮ブーム縦撓み抑制装置Ｂにおいては、前記ガイロープ１０の先端部は、伸縮ブーム３先端部３ａに直接連結されており、その連結箇所は伸縮ブーム長手軸心線３ｃに近接した位置となっている。
【００１１】
このような伸縮ブーム撓み抑制装置Ｂは、クレーン作業に先立ち、伸縮ブーム３先端部３ａとガイロープ基端部連結手段１１間に張設したガイロープ１０を緊張状態にして使用するものであり、クレーン作業時に、伸縮ブーム３先端部３ａに作用する下向き負荷（「伸縮ブーム先端部でのクレーン作業」では吊具８に係止した吊荷Ｗによる下向き負荷、「ジブ先端部でのクレーン作業」では、吊具９に係止した吊荷Ｗおよびジブ５自重による下向き負荷）を、ガイロープ１０により伸縮ブーム３の圧縮力（伸縮ブーム３をその長手軸心線３ｃに沿って縮めようとする力）に転化することで、伸縮ブーム３の縦撓み（伸縮ブーム３の長手方向中央部が上に凸となるような撓み）を抑制する効果（以下、「伸縮ブーム先端部に作用する下向き負荷による縦撓みを抑制する効果」という）を持つ。
【００１２】
「伸縮ブーム先端部に作用する下向き負荷による縦撓みを抑制する効果」は、「伸縮ブーム３先端部３ａでのクレーン作業」はもとより、「ジブ５先端部でのクレーン作業」においても期待することができるものである。
【特許文献１】特開昭５５−１１９６９３号公報
【発明の開示】
【発明が解決しようとする課題】
【００１３】
「伸縮ブーム先端部でのクレーン作業」においては、伸縮ブーム３先端部３ａに、吊具８に係止した吊荷Ｗからの下向き負荷のみが作用するので、上記の如き従来公知の伸縮ブーム縦撓み抑制装置Ｂは、伸縮ブーム３の縦撓み抑制に極めて有効に機能するものである。
【００１４】
しかしながら、「ジブ先端部でのクレーン作業」においては、伸縮ブーム３先端部３ａに、吊具９に係止した吊荷Ｗおよびジブ５自重による下向き負荷が作用するのに加えて、曲げモーメントが作用する。
【００１５】
この曲げモーメントは、ジブ５先端部に吊下した吊具９に係止した吊荷Ｗおよびジブ５の自重に基づきジブ５に作用するジブ倒伏方向モーメントを、伸縮ブーム３先端部２ａで支持することによるものであり、従来公知の伸縮ブーム縦撓み抑制装置Ｂによっては、この曲げモーメントに対抗する力（逆曲げモーメント）を生じさせることができない。
【００１６】
なぜなら、従来公知の伸縮ブーム縦撓み抑制装置Ｂにおけるガイロープ１０先端部の伸縮ブーム３先端部３ａへの連結箇所は、伸縮ブーム３の側面視において伸縮ブーム長手軸心線３ｃに近接した位置において伸縮ブーム３先端部３ａに設定されているため、ガイロープ１０に生じる張力により伸縮ブーム３先端部３ａに付加される力（逆曲げモーメント）は、極めて小さいためである。
【００１７】
「ジブ先端部でのクレーン作業」において伸縮ブーム３先端部３ａに作用する上記のような曲げモーメントは、伸縮ブーム３に縦撓みを生じさせる要因となり、しかも、この曲げモーメントは、ジブ５の稼動状態（ジブ５の起伏角度、および、吊荷Ｗの重量をパラメータとする稼動状態、ジブ５が長さ調整自在なものではジブ５の長さも稼動状態決定のパラメータとなる）によって大きく変動する。
【００１８】
すなわち、「伸縮ブーム先端部でのクレーン作業」と「ジブ先端部でのクレーン作業」を適宜選択してクレーン作業をする移動式クレーンに、従来公知の伸縮ブーム縦撓み抑制装置Ｂを装備した場合、当該伸縮ブーム縦撓み抑制装置Ｂは「ジブ先端部でのクレーン作業」において伸縮ブーム３先端部３ａに作用するジブ５からの曲げモーメントに基づく伸縮ブーム３の縦撓みを抑制する効果（以下「伸縮ブーム先端部に作用するジブからの曲げモーメントによる伸縮ブームの縦撓みを抑制する効果」という）を殆ど生じない。このため、「ジブ先端部でのクレーン作業」における吊り上げ許容荷重を伸縮ブーム３先端部３ａに作用するジブ５からの曲げモーメントに対する伸縮ブーム３の強度により制限しなければならないという問題が生じる。
【００１９】
本発明は、「伸縮ブーム先端部でのクレーン作業」と「ジブ先端部でのクレーン作業」を適宜選択してクレーン作業をする移動式クレーンＡに取り付けられるものであり、特に「ジブ先端部でのクレーン作業」に際して「伸縮ブーム先端部に作用するジブからの曲げモーメントによる伸縮ブームの縦撓みを抑制する効果」を持つ伸縮ブーム縦撓み抑制装置を提供することを目的とするものである。
【課題を解決するための手段】
【００２０】
本発明は、上述した如き移動式クレーン、すなわち、車両１上に旋回駆動自在に取り付けた旋回台２、旋回台２にその基端部を起伏自在に連結され旋回台２との間に介装した伸縮ブーム起伏用油圧シリンダ４により起伏駆動される伸縮ブーム３、および、それに作用する倒伏方向モーメントが伸縮ブーム３先端部３ａに曲げモーメントを付与するよう伸縮ブーム３先端部３ａに取り外し自在に継ぎ足されるジブ５であって伸縮ブーム３に対する起伏角度を変更可能なジブ５、を備えてなる移動式クレーンに取り付けられる伸縮ブーム縦撓み抑制装置Ｃに関し、請求項１乃至５に記載した構成を持つものである。
【００２１】
（請求項１記載の伸縮ブーム縦撓み抑制装置の構成について）
本発明の請求項１記載の伸縮ブーム縦撓み抑制装置Ｃは、伸縮ブーム３先端部３ａに取り付けられ伸縮ブーム３背面側への延出量を変更可能なアーム手段１３、その先端部を前記アーム手段１３の延出端部に連結したガイロープ１０、伸縮ブーム３長手方向中間部または旋回台４に取り付けられ前記ガイロープ１０の基端部を伸縮ブーム長手軸心線３ｃから伸縮ブーム３背面側に離隔した位置で連結するガイロープ基端部連結手段１１、および、アーム手段１３とガイロープ基端部連結手段１１間の前記ガイロープ１０の張設長さを調節するガイロープ長さ調節手段１２とで構成している。
【００２２】
なお、上記した請求項１記載の伸縮ブーム縦撓み抑制装置Ｃは、上述した従来公知の伸縮ブーム縦撓み抑制装置Ｂに対して、ガイロープ１０の先端部と伸縮ブーム３先端部３ａとの連結構成のみを異にしている。すなわち、従来公知の伸縮ブーム縦撓み抑制装置Ｂでは、ガイロープ１０の先端部は伸縮ブーム３先端部３ａに直接連結され且つその連結位置が伸縮ブーム長手軸心線３ｃに近接した位置となっているが、本発明の請求項１記載の伸縮ブーム縦撓み抑制装置Ｃは、伸縮ブーム３先端部３ａに伸縮ブーム３背面側への延出量を変更可能なアーム手段１３を取り付けると共に、ガイロープ１０の先端部をこのアーム手段１３の延出端部に連結したものとなっている。ガイロープ１０の先端部と伸縮ブーム３先端部３ａとの連結構成以外の構成については、上述した従来公知の伸縮ブーム縦撓み間抑制装置Ｂと同じ構成となっている。
【００２３】
（請求項２記載の伸縮ブーム縦撓み抑制装置の構成について）
本発明の請求項２記載の伸縮ブーム縦撓み抑制装置は、請求項１に従属するものであり、伸縮ブーム３先端部３ａに取り付けられ伸縮ブーム３背面側への延出量を変更可能なアーム手段１３の構成を具体的に特定したものである。
【００２４】
すなわち、アーム手段１３を、その回動により伸縮ブーム３背面側への延出量を変更可能なようその基端部を伸縮ブーム３先端部３ａに回動自在に取り付けられた回動アーム１４と、この回動アーム１４を回動するアーム回動用油圧シリンダ１５とで構成したものである。
（請求項３記載の伸縮ブーム縦撓み抑制装置の構成について）
本発明の請求項３記載の伸縮ブーム縦撓み抑制装置は、請求項１に従属するものであり、請求項２のものと同様、伸縮ブーム３先端部３ａに取り付けられ伸縮ブーム３背面側への延出量を変更可能なアーム手段の構成を具体的に特定したものである。
【００２５】
すなわち、アーム手段１３を、その伸縮により伸縮ブーム３背面側への延出量を変更可能なようその基端部を伸縮ブーム先端部に立設した伸縮アーム１７と、この伸縮アーム１７を伸縮するアーム伸縮用油圧シリンダ１８とで構成したものである。
（請求項４記載の伸縮ブームの縦撓み抑制装置の構成について）
本発明の請求項４記載の伸縮ブーム縦撓み抑制装置Ｃは、請求項１乃至請求項３に従属するもので、ジブ５およびアーム手段の伸縮ブーム３先端部３ａへの取り付け構成を具体的に特定したものである。
【００２６】
すなわち、ジブ５が、伸縮ブームの先端部に取り外し自在に取り付けられるジブ取付枠６にジブ起伏用油圧シリンダ７を介して起伏駆動自在に取り付けられており、アーム手段１３が、当該ジブ取付枠６に取り付けられていることを特徴とするものである。
（請求項５記載の伸縮ブーム縦撓み抑制装置の構成について）
本発明の請求項５記載の伸縮ブーム縦撓み抑制装置Ｃは、請求項１乃至請求項４に従属するもので、アーム手段１３、ガイロープ１０、ガイロープ基端部連結手段１１、および、ガイロープ長さ調節手段１２からなる伸縮ブーム縦撓み抑制装置Ｃを、左右一対設けたものである。
【００２７】
すなわち、伸縮ブーム３先端部３ａに配置したアーム手段１３、その先端部をアーム手段を介して伸縮ブーム３先端部３ａに連結したガイロープ１０、伸縮ブーム３基端側または旋回台２に配置され前記ガイロープ１０の基端部を伸縮ブーム長手軸心線３ｃに対して伸縮ブーム３背面側に離隔した位置で連結するガイロープ基端部連結手段１１、および、ガイロープ１０の張設長さを調節するガイロープ長さ調節手段１２とで構成した伸縮ブーム縦撓み抑制装置Ｃが、それぞれそのガイロープ１０の張設経路が伸縮ブーム３の背面視において伸縮ブーム長手軸心線３ｃの左右を経過するよう、左右一対装備されていることを特徴とするものである。
【発明の効果】
【００２８】
（請求項１記載の伸縮ブーム縦撓み抑制装置の効果について）
上記の如く構成した請求項１記載の伸縮ブーム縦撓み抑制装置Ｃは、次の効果を持つ。
（１）「ジブ先端部でのクレーン作業」に際して、伸縮ブーム３先端部３ａに作用する曲げモーメント（ジブ５先端部に吊下した吊具９に係止した吊荷Ｗおよびジブ５の自重によるジブ倒伏方向モーメントに基づくもの）に対抗する逆曲げモーメントを伸縮ブーム３先端部３ａに作用させることができる。伸縮ブーム３先端部３ａに作用する曲げモーメントは、この逆曲げモーメントにより大幅に低減または解消するので、請求項１に係る伸縮ブーム縦撓み抑制装置Ｃは「伸縮ブーム先端部に作用するジブからの曲げモーメントによる伸縮ブームの縦撓みを抑制する効果」が達成できる。
（２）また，アーム手段１３の延出端部の伸縮ブーム３背面側への延出量をジブ５の稼動状態に応じて適宜変更することで、伸縮ブーム３先端部３ａに作用するジブ５からの曲げモーメントと、これに対抗する逆曲げモーメントが略等しくすることができるので、これら両曲げモーメントによる伸縮ブームの撓み（伸縮ブーム３長手方向中間部が上に凸あるいは下に凸となるような撓み）を合理的に解消することができる。
【００２９】
なお、本発明に係る伸縮ブーム縦撓み抑制装置Ｃは、その使用状態において前記アーム手段１３が伸縮ブーム３先端部３ａに強固に取り付けられるものであるから、従来の伸縮ブーム縦撓み抑制装置Ｂと同様「伸縮ブーム先端部に作用する下向き負荷による伸縮ブームの縦撓みを抑制する効果」を具備することは明らかである。
（請求項２記載の伸縮ブーム縦撓み抑制装置の効果について）
上記の如く構成した請求項２記載の伸縮ブーム縦撓み抑制装置Ｃは、上記した請求項１のものと同様の効果を持つ他、伸縮ブーム３先端部３ａに取り付けられ伸縮ブーム３背面側への延出量を変更可能なアーム手段１３を、簡単な構成で実現できるという効果を持つ。
（請求項３記載の伸縮ブーム縦撓み抑制装置の効果について）
上記の如く構成した請求項３記載の伸縮ブーム縦撓み抑制装置Ｃは、上記した請求項１のものと同様の効果を持つ他、伸縮ブーム３先端部３ａに取り付けられ伸縮ブーム３背面側への延出量を変更可能なアーム手段を、簡単な構成で実現できるという効果を持つ。
（請求項４記載の伸縮ブーム縦撓み抑制装置の効果について）
上記の如く構成した請求項４記載の伸縮ブーム縦撓み抑制装置Ｃは、当該請求項４が従属する請求項１乃至請求項３の効果を持つ他、ジブ取付枠６を伸縮ブーム３先端部３ａに取り外し自在に取り付けることで、ジブ５をアーム手段１３と共に伸縮ブーム３先端部３ａに継ぎ足すことができるので、伸縮ブーム３先端部３ａに対するジブ５の継ぎ足しおよび取り外し作業が簡単に行えるという効果を持つ。
（請求項５記載の伸縮ブーム縦撓み抑制装置の効果について）
上記の如く構成した請求項５記載の伸縮ブーム縦撓み抑制装置Ｃは、当該請求項５が従属する請求項１乃至請求項４の効果を持つ他、左右の伸縮ブーム縦撓み抑制装置Ｃが、共同して伸縮ブーム３先端部３ａの横方向への動き（伸縮ブーム３の起伏軌跡面に直交する方向への動き）を拘束するので、伸縮ブーム３の横撓み抑制にも効果を持つ。
【実施例】
【００３０】
以下、本発明に係る移動式クレーンの伸縮ブーム縦撓み抑制装置の実施例を、図１乃至図８に基づいて説明する。
【００３１】
上記したように本発明の伸縮ブーム縦撓み抑制装置Ｃは、図９に示し上述した移動式クレーンＡを適用対象とするものであり、且つ、図９上に書き加え上述した従来公知の伸縮ブーム撓み抑制装置Ｂ（「伸縮ブーム先端部でのクレーン作業」のみを行う移動式クレーン用の伸縮ブーム縦撓み抑制装置として公知のもの）と比較して、ガイロープ１０の先端部と伸縮ブーム３先端部３ａとの連結構成のみを異にしているものである。
【００３２】
したがって、以下の説明では、主としてこの差異点（ガイロープ１０の先端部と伸縮ブーム３先端部３ａとの連結構成）に関する説明に留め、その他の構成については、図９に示し上述した移動式クレーンＡおよび従来の伸縮ブーム縦撓み抑制装置Ｂの説明をそのまま援用するものとする。
【００３３】
図１乃至図８において本発明の伸縮ブーム縦撓み抑制装置は符号Ｃとして示している。この伸縮ブーム縦撓み抑制装置Ｃは、伸縮ブーム３先端部３ａに取り付けられ伸縮ブーム３背面側への延出量を変更可能なアーム手段１３、その先端部を前記アーム手段１３の延出端部に連結したガイロープ１０、伸縮ブーム３長手方向中間部または旋回台４に取り付けられ前記ガイロープ１０の基端部を伸縮ブーム長手軸心線３ｃから伸縮ブーム３背面側に離隔した位置で連結するガイロープ基端部連結手段１１、および、アーム手段とガイロープ基端部連結手段１１間の前記ガイロープ１０の張設長さを調節するガイロープ長さ調節手段１２とで構成している。ガイロープ１０先端部は、伸縮ブーム３先端部３ａに取り付けられ伸縮ブーム３背面側への延出量を変更可能なアーム手段１３を介して、伸縮ブーム３先端部３ａに連結した構成となっている。
【００３４】
（第一実施例について）
第一実施例について説明する。伸縮ブーム３先端部３ａに取り付けられ伸縮ブーム３背面側への延出量を変更可能なアーム手段１３は、その回動により伸縮ブーム３背面側への延出量を変更可能なようその基端部を伸縮ブーム３先端部３ａに回動自在に取り付けられた回動アーム１４と、この回動アーム１４を回動するアーム回動用油圧シリンダ１５とで構成している。回動アーム１４の延出端部（先端部）には、ガイロープ１０の先端部が連結されている。
【００３５】
第１実施例の発展例について説明する。図１では、アーム手段１３は、伸縮ブーム３先端部３ａに取り外し自在に取り付けられたジブ取付枠６に取り付けられている。すなわち、アーム手段１３の回動アーム１４は、その基端部をジブ取付枠６の背面側に回動軸１６を介して伸縮ブーム３の起伏面に沿って起伏自在に取り付けられており、アーム手段１３のアーム回動用油圧シリンダ１５は、回動アーム１４とジブ取付枠６との間に介装されている。
【００３６】
そして、アーム回動用油圧シリンダ１５により回動アーム１４を回動させることで、回動アーム１４の延出端部（先端部）の伸縮ブーム３背面側への延出量を変更できるようになっている。
【００３７】
この第一実施例は、請求項１、請求項２および請求項４に係る伸縮ブーム縦撓み抑制装置を具現したものであり、その効果は、発明の効果の欄において説明した通りである。
【００３８】
（第二実施例について）
第二実施例について説明する。伸縮ブーム先端部３ａに取り付けられ伸縮ブーム３背面側への変更可能なアーム手段１３は、その伸縮により伸縮ブーム背面側への延出量を変更可能なようその基端部を伸縮ブーム先端部に立設した伸縮アーム１７と、この伸縮アーム１７を伸縮するアーム伸縮用油圧シリンダ１８とで構成している。伸縮アーム１７の延出端部（先端部）には、ガイロープ１０の先端部が連結されている。
【００３９】
第２実施例の発展例について説明する。図２では、アーム手段１３は、伸縮ブーム３先端部３ａに取り外し自在に取り付けられたジブ取付枠６に取り付けられている。すなわち、アーム手段１３の伸縮アーム１７は、その基端部をジブ取付枠６に固着して立設されており、アーム手段１３のアーム伸縮用油圧シリンダ１８は、伸縮アーム１６に内装されている。そして、アーム伸縮用油圧シリンダ１７により伸縮アーム１６を伸縮させることで、伸縮アーム１６の延出端部（先端部）の伸縮ブーム３背面側への延出量を変更できるようになっている。
【００４０】
この第二実施例は、請求項１、請求項３および請求項４に係る伸縮ブーム縦撓み抑制装置を具現したものであり、その効果は、発明の効果の欄において説明した通りである。
【００４１】
上記した第一実施例および第二実施例では、伸縮ブーム３先端部３ａに配置したアーム手段１３、その先端部をアーム手段１３を介して伸縮ブーム先端部に連結したガイロープ１０、伸縮ブーム３基端部または旋回台２に配置され前記ガイロープ１０の基端部を伸縮ブーム長手軸心線３ｃに対して伸縮ブーム３背面側に離隔した位置で連結するガイロープ基端部連結手段１１、および、ガイロープ１０の張設長さを調節するガイロープ長さ調節手段１２とで構成した伸縮ブーム縦撓み抑制装置Ｃを、伸縮ブーム３に一つ取り付けたものを示したが、この伸縮ブーム縦撓み抑制装置Ｃは、伸縮ブーム３に左右一対、すなわち二個取り付けても良いものである。
【００４２】
以下、第三乃至第四実施例として、伸縮ブーム縦撓み抑制装置Ｃを伸縮ブーム３に左右一対配置した実施例について説明する。
【００４３】
（第三実施例について）
図３乃至図５に示すように、伸縮ブーム３に取り付けられた左右一対の伸縮ブーム縦撓み抑制装置Ｃ，Ｃは、それぞれそのガイロープ１０，１０の張設経路が、伸縮ブーム３の背面視において伸縮ブーム長手軸心線３ｃの左右を経過するよう配置されている。
【００４４】
伸縮ブーム３の左側および右側（伸縮ブーム３の背面視において伸縮ブーム３の左側および右側）の各伸縮ブーム縦撓み抑制装置Ｃは、上記第一および第二実施例のそれと同様、伸縮ブーム３先端部３ａに配置したアーム手段１３、その先端部をアーム手段１３を介して伸縮ブーム先端部に連結したガイロープ１０、伸縮ブーム３基端部または旋回台２に配置され前記ガイロープ１０の基端部を伸縮ブーム長手軸心線３ｃに対して伸縮ブーム３背面側に離隔した位置で連結するガイロープ基端部連結手段１１、および、ガイロープ１０の張設長さを調節するガイロープ長さ調節手段１２とで構成している。
【００４５】
各アーム手段１３は、上記第一実施例のそれと同様、伸縮ブーム３先端部３ａに取り外し自在に取り付けられたジブ取付枠６に回動軸１６を介して取り付けられた回動アーム１４と、この回動アーム１４を回動軸１６回りで回動するアーム回動用油圧シリンダ１５とで構成している。
【００４６】
左側に位置する伸縮ブーム縦撓み抑制装置Ｃのアーム手段１３における回動アーム１４は、伸縮ブーム３の左側に向かって傾倒した傾倒位置と、伸縮ブーム３の背面側に向かって起立した起立位置との間で回動し、この回動により、その延出端部（先端部）の伸縮ブーム３背面側への延出量を変更できるようになっている。この左側の回動アーム１４の基端部をジブ取付枠６に連結する前記回動軸１６および左側の回動アーム１４を回動するアーム回動用油圧シリンダ１５は、左側の回動アーム１４のこのような回動が可能なよう配置されている。
【００４７】
また、左側に位置する伸縮ブーム縦撓み抑制装置Ｃのガイロープ基端部連結手段１１は、旋回台２または伸縮ブーム３長手方向中間部に取り付けられており、ガイロープ１０の基端部を伸縮ブーム３長手軸心線３ｃから伸縮ブーム背面側に離隔（伸縮ブーム３の側面視において伸縮ブーム背面側に離隔）し且つ伸縮ブーム３の左側に離隔（伸縮ブーム３の背面視において伸縮ブーム３左側に離隔）した位置で連結するようになっている。
【００４８】
このため、左側に位置する伸縮ブーム縦撓み抑制装置Ｃのガイロープは、伸縮ブーム背面視において伸縮ブーム長手軸心線３ｃの左側を経由して張設されるようになっている。
【００４９】
右側に位置する伸縮ブーム縦撓み抑制装置Ｃのアーム手段１３における回動アーム１４は、伸縮ブーム３の右側に向かって傾倒した傾倒位置と、伸縮ブーム３の背面側に向かって起立した起立位置との間で回動し、この回動により、その延出端部（先端部）の伸縮ブーム３背面側への延出量を変更できるようになっている。この右側の回動アーム１４の基端部をジブ取付枠６に連結する前記回動軸１６、および、右側の回動アーム１４を回動するアーム回動用油圧シリンダ１５は、右側の回動アーム１４のこのような回動が可能なよう配置されている。
【００５０】
また、右側に位置する伸縮ブーム縦撓み抑制装置Ｃのガイロープ基端部連結手段１１
は、旋回台２または伸縮ブーム３長手方向中間部に取り付けられており、ガイロープ１０の基端部を伸縮ブーム３長手軸心線３ｃから伸縮ブーム背面側に離隔（側面視において伸縮ブーム背面側に離隔）し且つ伸縮ブーム３の右側に離隔（伸縮ブーム３の背面視において伸縮ブーム３右側に離隔）した位置で連結するようになっている。
【００５１】
このため、右側に位置する伸縮ブーム縦撓み抑制装置Ｃのガイロープは、伸縮ブーム背面視において伸縮ブーム長手軸心線３ｃの右側を経由して張設されるようになっている。
【００５２】
左側および右側の伸縮ブーム縦撓み抑制装置Ｃは、伸縮ブーム３の起伏軌跡面を対象面として面対象的に伸縮ブーム３に配置されている。
【００５３】
この第三実施例は、請求項１、請求項２、請求項４および請求項５に係る伸縮ブーム縦撓み抑制装置を具現したものであり、その効果は、発明の効果の欄において説明した通りである。
【００５４】
（第四実施例について）
図６乃至図８に示した第四実施例に係る伸縮ブーム縦撓み抑制装置Ｃは、伸縮ブーム３に取り付けられた左右一対の伸縮ブーム縦撓み抑制装置Ｃは、それぞれそのガイロープ１０の張設経路が、伸縮ブーム３の背面視において伸縮ブーム長手軸心線３ｃの左右を経過するよう配置されている。
【００５５】
伸縮ブーム３の左側および右側（伸縮ブーム３の背面視において伸縮ブーム３の左側および右側）の各伸縮ブーム縦撓み抑制装置Ｃ，Ｃは、上記第一および第二実施例のそれと同様、伸縮ブーム３先端部３ａに配置したアーム手段１３、その先端部をアーム手段１３を介して伸縮ブーム先端部に連結したガイロープ１０、伸縮ブーム３基端部または旋回台２に配置され前記ガイロープ１０の基端部を伸縮ブーム長手軸心線３ｃに対して伸縮ブーム３背面側に離隔した位置で連結するガイロープ基端部連結手段１１、および、ガイロープ１０の張設長さを調節するガイロープ長さ調節手段１２とで構成している。
【００５６】
各アーム手段１３は、上記第二実施例のそれと同様、伸縮ブーム３先端部３ａに取り外し自在に取り付けられたジブ取付枠６に固着して立設した伸縮アーム２２と、伸縮アーム２２を伸縮駆動するアーム伸縮用油圧シリンダ２３とで構成している。
【００５７】
左側に位置する伸縮ブーム縦撓み抑制装置Ｃのアーム手段１３における伸縮アーム２２は、ジブ取付枠対６を介して伸縮ブーム３先端部３ａの左側上方に傾斜して配置されており、伸縮によりその延出端部（先端部）の伸縮ブーム３背面側への延出量を変更できるようになっている。
【００５８】
また、左側に位置する伸縮ブーム縦撓み抑制装置Ｃのガイロープ基端部連結手段１１は、旋回台２または伸縮ブーム３長手方向中間部に取り付けられており、ガイロープ１０の基端部を伸縮ブーム３長手軸心線３ｃから伸縮ブーム背面側に離隔（伸縮ブーム３の側面視において伸縮ブーム背面側に離隔）し且つ伸縮ブーム３の左側に離隔（伸縮ブーム３の背面視において伸縮ブーム３左側に離隔）した位置で連結するようになっている。
【００５９】
このため、左側に位置する伸縮ブーム縦撓み抑制装置Ｃのガイロープは、伸縮ブーム背面視において伸縮ブーム長手軸心線３ｃの左側を経由して張設されるようになっている。
【００６０】
右側に位置する伸縮ブーム縦撓み抑制装置Ｃのアーム手段１３における伸縮アーム２２は、ジブ取付枠対６を介して伸縮ブーム３先端部３ａの右側上方に傾斜して配置されており、この伸縮によりその延出端部（先端部）の伸縮ブーム３背面側への延出量を変更できるようになっている。
【００６１】
また、右側に位置する伸縮ブーム縦撓み抑制装置Ｃのガイロープ基端部連結手段１１は、旋回台２または伸縮ブーム３長手方向中間部に取り付けられており、ガイロープ１０の基端部を伸縮ブーム３長手軸心線３ｃから伸縮ブーム背面側に離隔（伸縮ブーム３の側面視において伸縮ブーム背面側に離隔）し且つ伸縮ブーム３の右側に離隔（伸縮ブーム３の背面視において伸縮ブーム３左側に離隔）した位置で連結するようになっている。
【００６２】
このため、右側に位置する伸縮ブーム縦撓み抑制装置Ｃのガイロープは、伸縮ブーム背面視において伸縮ブーム長手軸心線３ｃの右側を経由して張設されるようになっている。
【００６３】
左側および右側の伸縮ブーム縦撓み抑制装置Ｃは、伸縮ブーム３の起伏軌跡面を対象面として面対象的に伸縮ブーム３に配置されている。
【００６４】
この第三実施例は、請求項１、請求項３、請求項４および請求項５に係る伸縮ブーム縦撓み抑制装置Ｃを具現したものであり、その効果は、発明の効果の欄において説明した通りである。
【図面の簡単な説明】
【００６５】
【図１】本発明の第一実施例に係る伸縮ブーム縦撓み抑制装置を装備した移動式クレーンの側面図である。
【図２】本発明の第二実施例に係る伸縮ブーム縦撓み抑制装置を装備した移動式クレーンの側面図である。
【図３】本発明の第三実施例に係る伸縮ブーム縦撓み抑制装置を装備した移動式クレーンの側面図である。
【図４】図３の伸縮ブーム縦撓み抑制装置の伸縮ブーム背面視図である。
【図５】図４のＸ−Ｘ断面の要部矢視図である。
【図６】本発明の第四実施例に係る伸縮ブーム縦撓み抑制装置を装備した移動式クレーンの側面図である。
【図７】図６の伸縮ブーム縦撓み抑制装置の伸縮ブーム背面視図である。
【図８】図７のＸ−Ｘ断面の要部矢視図である。
【図９】従来の伸縮ブーム縦撓み抑制装置を装備した移動式クレーンの側面図である。
【符号の説明】
【００６６】
Ａ；移動式クレーン、
１；車両、
２；旋回台、
３；伸縮ブーム、
３ａ；（伸縮ブームの）先端部、
３ｃ；伸縮ブーム長手軸心線、
４；伸縮ブーム起伏用油圧シリンダ、
５；ジブ、
６；ジブ取付枠、
７；ジブ起伏用油圧シリンダ、
８；（伸縮ブーム３先端部３ａに吊下した）吊具、
９；（ジブ５の先端部に吊下した）吊具、
１０；ガイロープ、
１１；ガイロープ基端部連結手段、
１１ａ；控えロープ、
１２；ガイロープ長さ調節手段、
１３；アーム手段
１４；回動アーム
１５；アーム回動用油圧シリンダ、
１６；回動軸、
１７；伸縮アーム、
１８；アーム伸縮用油圧シリンダ、
２２；伸縮アーム
２３；アーム伸縮用油圧シリンダ
【図１】
0004683938.tif 000002
【図２】
0004683938.tif 000003
【図３】
0004683938.tif 000004
【図４】
0004683938.tif 000005
【図５】
0004683938.tif 000006
【図６】
0004683938.tif 000007
【図７】
0004683938.tif 000008
【図８】
0004683938.tif 000009
【図９】
0004683938.tif 000010